(57)【特許請求の範囲】
【請求項１】
第１の無線端末、及び／又は前記第１の無線端末とは種類が異なる第２の無線端末から受信した信号を受信機に中継する中継器であって、
当該中継器と前記受信機とを相互に接続する３つの信号線の状態を、通常状態、前記第１の無線端末に関する第１移報状態、当該第１の無線端末に関する第１移報状態とは併存できない前記第２の無線端末に関する第１移報状態、又は、当該第１の無線端末に関する第１移報状態及び当該第２の無線端末に関する第１移報状態とは併存できない第２移報状態のいずれかに切り替えることにより、前記第１の無線端末及び／又は前記第２の無線端末から受信した信号を、当該切り替えしてから、当該受信した信号とは種類の異なる信号を当該第１の無線端末及び／又は当該第２の無線端末から受信するまでの間、前記受信機に定常的に出力するための信号出力手段と、
前記信号出力手段を制御する制御手段とを備え、
前記制御手段は、
火災を報知する火災信号を前記第１の無線端末から受信した場合に、当該受信した火災信号の前記受信機に対する移報を、前記信号出力手段を前記第１の無線端末に関する第１移報状態にすることにより行い、
前記火災信号を前記第２の無線端末から受信した場合に、当該受信した火災信号の前記受信機に対する移報を、前記信号出力手段を前記第２の無線端末に関する第１移報状態にすることにより行い、
前記第１の無線端末及び／又は前記第２の無線端末の障害を報知する障害信号を当該第１の無線端末及び／又は当該第２の無線端末から受信した場合に、当該受信した障害信号の前記受信機に対する移報を、前記信号出力手段を前記第２移報状態にすることにより行い、
当該中継器が前記障害信号の前記受信機に対する移報を行っている場合において、前記火災信号を前記第１の無線端末及び／又は前記第２の無線端末から受信した場合には、前記信号出力手段を前記第２移報状態から前記通常状態に復旧させた後、当該受信した火災信号の前記受信機に対する移報を行う、
中継器。
【請求項２】
前記制御手段は、
当該中継器が前記障害信号の前記受信機に対する移報を行っている場合において、前記火災信号を前記第１の無線端末及び／又は前記第２の無線端末から受信した場合には、前記信号出力手段を前記第２移報状態から前記通常状態に復旧させた後、火災復旧を報知する火災復旧信号を当該第１の無線端末及び／又は当該第２の無線端末から受信するまで、当該受信した火災信号の前記受信機に対する移報のみを行う、
請求項１に記載の中継器。
【請求項３】
前記制御手段は、
当該中継器が前記火災信号の移報を前記受信機に対して行っている場合において、当該火災信号を送信した前記第１の無線端末又は前記第２の無線端末から火災復旧を報知する火災復旧信号を受信し、かつ前記障害信号を前記第１の無線端末及び／又は前記第２の無線端末から受信している場合には、前記信号出力手段を前記第１の無線端末に関する第１移報状態又は前記第２の無線端末に関する第１移報状態から前記通常状態に復旧させた後、当該受信した障害信号の前記受信機に対する移報を行う、
請求項１に記載の中継器。
【請求項４】
前記通常状態は、前記３つの信号線の全てが導通可能な状態であり、
前記第１の無線端末に関する第１移報状態は、前記３つの信号線のうち２つの信号線が短絡した状態であり、
前記第２の無線端末に関する第１移報状態は、前記３つの信号線の全てが短絡した状態であり、
前記第２移報状態は、前記３つの信号線のうち１つの信号線が断線した状態である、
請求項１から３のいずれか一項に記載の中継器。
【請求項５】
前記第１の無線端末及び前記第２の無線端末の各々を一意に識別する識別情報を含む前記火災信号を、前記第１の無線端末及び／又は前記第２の無線端末から受信した場合に、当該火災信号から前記識別情報を取得する識別情報取得手段と、
前記識別情報と、前記火災信号を前記受信機に移報するための移報方法であって、前記３つの信号線の状態を前記第１の無線端末に関する第１移報状態又は前記第２の無線端末に関する第１移報状態に切り替えるための移報方法を特定するための移報方法情報と、を相互に関連付けて格納する移報方法情報格納手段とを備え、
前記制御手段は、
前記識別情報取得手段にて取得した識別情報に基づいて、前記移報方法情報格納手段から前記移報方法情報を取得し、当該取得した前記移報方法情報に基づいて、前記火災信号の前記受信機に対する移報を行う、
請求項１から４のいずれか一項に記載の中継器。
【発明の詳細な説明】
【技術分野】
【０００１】
本発明は、中継器に関する。
【背景技術】
【０００２】
従来から、様々な種類の端末機器を用いて火災発生を報知する防災システムが利用されている。図１０は、従来の防災システム１０１の概略図である。図１０に示すように、この防災システム１０１は、建物の各階層において、火災が検知された場合に火災を報知する火災信号を送信する有線式感知器１１０及び無線式感知器１２０と、押しボタンが操作された場合に火災信号を送信する発信機１３０と、無線式感知器１２０から受信した火災信号を受信機１５０に中継する中継器１４０と、有線式感知器１１０、発信機１３０、又は中継器１４０から信号線１０２を介して火災信号を受信する受信機１５０とを備えて構成されている。また、この信号線１０２は、Ａ線１０２ａ、Ｃ線１０２ｂ、及びＬ線１０２ｃを含んで構成されている。Ａ線１０２ａは、発信機１３０と中継器１４０とを相互に接続し、中継器１４０と受信機１５０とを相互に接続している。また、Ａ線１０２ａは、建物の各階層毎に設けられた発信機１３０に渡り接続されている。一方、Ｃ線１０２ｂ及びＬ線１０２ｃは、発信機１３０と有線式感知器１１０とを相互に接続し、有線式感知器１１０と中継器１４０とを相互に接続し、及び中継器１４０と受信機１５０とを相互に接続している。なお、Ａ線１０２ａとＣ線１０２ｂとの間、及びＬ線１０２ｃとＣ線１０２ｂとの間には、受信機１５０から所定の電圧が印加されている。また、Ｌ線１０２ｃ及びＣ線１０２ｂの終端には図示しない終端器（例えば抵抗器）が接続されており、受信機は、電気的に終端器の接続の有無を判断することで（例えば、前述のＬ線１０２ｃから終端器を介してＣ線１０２ｂに流れる電流が所定範囲にあるか否かを判断することで）、Ｌ線１０２ｃ及びＣ線１０２ｂが断線しているか否かの確認を行っている。
【０００３】
このような防災システム１０１の構成においては、端末機器の火災信号を受信機１５０に送信する方法としては、例えば、端末機器が、当該端末機器と接続された信号線１０２を短絡させることにより、当該端末機器の火災信号を受信機１５０に送信する。具体的には、発信機１３０の火災信号の場合には、当該発信機１３０が、当該発信機１３０と接続されたＡ線１０２ａ、Ｃ線１０２ｂ、及びＬ線１０２ｃを短絡させることによりＡ線１０２ａ及びＬ線１０２ｃからＣ線１０２ｂに向けて電流が流れるようにし、その電流を受信機１５０に検知させることにより、当該発信機１３０の火災信号を受信機１５０に送信する。また、有線式感知器１１０の火災信号の場合には、当該有線式感知器１１０が、当該有線感知器と接続されたＣ線１０２ｂ及びＬ線１０２ｃを短絡させることにより、当該有線式感知器１１０の火災信号を受信機１５０に送信する。また、無線式感知器１２０の火災信号の場合には、中継器１４０が、無線式感知器１２０から火災信号を受信した後に、当該中継器１４０と接続されたＣ線１０２ｂ及びＬ線１０２ｃを短絡させることによりＬ線１０２ｃからＣ線１０２ｂに向けて電流が流れるようにし、その電流を受信機１５０に検知させることにより、当該有線式感知器１１０の火災信号を受信機１５０に送信する。
【０００４】
また、上記端末機器に障害が生じた場合には、当該端末機器から障害を報知する障害信号が送信される。このような端末機器の障害信号が受信機１５０に送信される方法としては、例えば、当該端末機器が、接続された信号線１０２を終端器と電気的に切り離し、受信機に終端器がないと認識させることで、当該端末機器の障害信号が受信機１５０に送信される。具体的には、無線式感知器１２０の障害信号の場合には、中継器１４０が、無線式感知器１２０から障害信号を受信した後に、当該中継器１４０と接続されたＣ線１０２ｂ及びＬ線１０２ｃの一部をリレー等により切り離すことによって、当該Ｃ線１０２ｂ及びＬ線１０２ｃと接続された終端器を電気的に切り離し、当該無線式感知器１２０の障害信号を受信機１５０に送信する（例えば、特許文献１参照）。
【先行技術文献】
【特許文献】
【０００５】
【特許文献１】特開平０８−１８５５９０号公報
【発明の概要】
【発明が解決しようとする課題】
【０００６】
しかしながら、このような従来の防止システムにおいては、端末機器の火災信号を受信機１５０に送信することに関して改善の余地があった。例えば、中継器１４０が無線式感知器１２０から障害信号を受信している場合において、当該中継器１４０よりも下流側（受信機１５０から離れた位置）に配置された有線式感知器１１０が火災を感知した場合には、当該有線式感知器１１０が、当該有線式感知器１１０と接続されたＣ線１０２ｂ及びＬ線１０２ｃを短絡させるが、中継器１４０と接続されたＣ線１０２ｂ及びＬ線１０２ｃが断線状態であるので、当該無線式感知器１２０の障害信号が受信機１５０に継続して送信される。したがって、この場合には有線式感知器１１０の火災信号が受信機１５０に送信されないので、このことが火災の早期発見を阻害する要因となる可能性があった。
【０００７】
本発明は、上記に鑑みてなされたものであって、端末機器の障害信号が受信機に送信されている場合であっても、端末機器の火災信号を受信機に送信することができる、中継器を提供することを目的とする。
【課題を解決するための手段】
【０００８】
上述した課題を解決し、目的を達成するために、請求項１に記載の中継器は、第１の無線端末、及び／又は前記第１の無線端末とは種類が異なる第２の無線端末から受信した信号を受信機に中継する中継器であって、当該中継器と前記受信機とを相互に接続する３つの信号線の状態を、通常状態、前記第１の無線端末に関する第１移報状態、当該第１の無線端末に関する第１移報状態とは併存できない前記第２の無線端末に関する第１移報状態、又は、当該第１の無線端末に関する第１移報状態及び当該第２の無線端末に関する第１移報状態とは併存できない第２移報状態のいずれかに切り替えることにより、前記第１の無線端末及び／又は前記第２の無線端末から受信した信号を、当該切り替えしてから、当該受信した信号とは種類の異なる信号を当該第１の無線端末及び／又は当該第２の無線端末から受信するまでの間、前記受信機に定常的に出力するための信号出力手段と、前記信号出力手段を制御する制御手段とを備え、前記制御手段は、火災を報知する火災信号を前記第１の無線端末から受信した場合に、当該受信した火災信号の前記受信機に対する移報を、前記信号出力手段を前記第１の無線端末に関する第１移報状態にすることにより行い、前記火災信号を前記第２の無線端末から受信した場合に、当該受信した火災信号の前記受信機に対する移報を、前記信号出力手段を前記第２の無線端末に関する第１移報状態にすることにより行い、前記第１の無線端末及び／又は前記第２の無線端末の障害を報知する障害信号を当該第１の無線端末及び／又は当該第２の無線端末から受信した場合に、当該受信した障害信号の前記受信機に対する移報を、前記信号出力手段を前記第２移報状態にすることにより行い、当該中継器が前記障害信号の前記受信機に対する移報を行っている場合において、前記火災信号を前記第１の無線端末及び／又は前記第２の無線端末から受信した場合には、前記信号出力手段を前記第２移報状態から前記通常状態に復旧させた後、当該受信した火災信号の前記受信機に対する移報を行う。
また、請求項２に記載の中継器は、請求項１に記載の中継器において、前記制御手段は、当該中継器が前記障害信号の前記受信機に対する移報を行っている場合において、前記火災信号を前記第１の無線端末及び／又は前記第２の無線端末から受信した場合には、前記信号出力手段を前記第２移報状態から前記通常状態に復旧させた後、火災復旧を報知する火災復旧信号を当該第１の無線端末及び／又は当該第２の無線端末から受信するまで、当該受信した火災信号の前記受信機に対する移報のみを行う。
【０００９】
また、請求項３に記載の中継器は、請求項１に記載の中継器において、前記制御手段は、当該中継器が前記火災信号の移報を前記受信機に対して行っている場合において、当該火災信号を送信した前記第１の無線端末又は前記第２の無線端末から火災復旧を報知する火災復旧信号を受信し、かつ前記障害信号を前記第１の無線端末及び／又は前記第２の無線端末から受信している場合には、前記信号出力手段を前記第１の無線端末に関する第１移報状態又は前記第２の無線端末に関する第１移報状態から前記通常状態に復旧させた後、当該受信した障害信号の前記受信機に対する移報を行う。
【００１０】
また、請求項４に記載の中継器は、請求項１から３のいずれか一項に記載の中継器において、前記通常状態は、前記３つの信号線の全てが導通可能な状態であり、前記第１の無線端末に関する第１移報状態は、前記３つの信号線のうち２つの信号線が短絡した状態であり、前記第２の無線端末に関する第１移報状態は、前記３つの信号線の全てが短絡した状態であり、前記第２移報状態は、前記３つの信号線のうち１つの信号線が断線した状態である。
【００１１】
また、請求項５に記載の中継器は、請求項１から４のいずれか一項に記載の中継器において、前記第１の無線端末及び前記第２の無線端末の各々を一意に識別する識別情報を含む前記火災信号を、前記第１の無線端末及び／又は前記第２の無線端末から受信した場合に、当該火災信号から前記識別情報を取得する識別情報取得手段と、前記識別情報と、前記火災信号を前記受信機に移報するための移報方法であって、前記３つの信号線の状態を前記第１の無線端末に関する第１移報状態又は前記第２の無線端末に関する第１移報状態に切り替えるための移報方法を特定するための移報方法情報と、を相互に関連付けて格納する移報方法情報格納手段とを備え、前記制御手段は、前記識別情報取得手段にて取得した識別情報に基づいて、前記移報方法情報格納手段から前記移報方法情報を取得し、当該取得した前記移報方法情報に基づいて、前記火災信号の前記受信機に対する移報を行う。
【発明の効果】
【００１２】
請求項１に記載の中継器によれば、制御手段は、当該中継器が障害信号の受信機に対する移報を行っている場合において、火災信号を無線端末から受信した場合には、信号出力手段を第２移報状態から通常状態に復旧させた後、当該受信した火災信号の受信機に対する移報を行うので、無線端末の障害に左右されることなく、当該受信した火災信号の受信機に対する移報を行うことができ、火災信号の受信機に対する移報の確実性を高めることができる。
【００１３】
また、請求項３に記載の中継器によれば、制御手段は、当該中継器が火災信号の移報を受信機に対して行っている場合において、火災復旧信号を無線端末から受信し、かつ障害信号を無線端末から受信している場合には、信号出力手段を第１の無線端末に関する第１移報状態又は第２の無線端末に関する第１移報状態から通常状態に復旧させた後、当該受信した障害信号の受信機に対する移報を行うので、火災信号の移報が行われており、かつ障害信号を受信している場合であって、火災信号の移報が停止した場合でも、この障害信号の受信機に対する移報を行うことができ、障害信号の受信機に対する移報の確実性を高めることができる。
【００１４】
また、請求項４に記載の中継器によれば、通常状態は、３つの信号線の全てが導通可能な状態であり、第１の無線端末に関する第１移報状態は、３つの信号線のうち２つの信号線が短絡した状態であり、第２の無線端末に関する第１移報状態は、３つの信号線の全てが短絡した状態であり、第２移報状態は、３つの信号線のうち１つの信号線が断線した状態であるので、無線端末に障害が生じている場合であって、無線端末が発報した場合でも、信号出力手段によって、信号線を断線させた状態から当該信号線を断線させる前の状態に復旧させた後に、信号線を短絡させることにより、当該受信した火災信号を受信機に出力することができ、当該受信した火災信号の受信機に対する移報の確実性を高めることができる。さらに、無線端末の発報が停止した場合において、無線端末に障害が生じている場合でも、信号出力手段によって、信号線を短絡させた状態から当該信号線を短絡させる前の状態に復旧させた後に、信号線を断線させることにより、当該受信している障害信号を受信機に出力することができ、当該受信した障害信号の受信機に対する移報の確実性を高めることができる。
【００１５】
また、請求項５に記載の中継器によれば、当該中継器は、識別情報取得手段にて取得した識別情報に基づいて、移報方法情報格納手段から移報方法情報を取得し、当該取得した移報方法情報に基づいて、火災信号の受信機に対する移報を行うので、無線端末に応じた火災信号の移報を行うことができ、火災の位置を容易に特定することができる。
【図面の簡単な説明】
【００１６】
【図１】火災報知システムの構成を示す概略図である。
【図２】受信機と有線式中継器との信号線の接続状況を示す概要図である。
【図３】発信機の電気的構成を概念的に示すブロック図である。
【図４】無線式中継器の電気的構成を概念的に示すブロック図である。
【図５】有線式中継器の電気的構成を概念的に示すブロック図である。
【図６】信号出力部の各端子の接続状況を示す概略図である。
【図７】移報方法テーブルに格納される情報の内容を例示した表である。
【図８】感知器、発信機、無線式中継器、及び有線式中継器が実行する中継処理の流れを示したフローチャートである。
【図９】中継処理のフローチャートである。
【図１０】従来の防災システムの概略図である。
【発明を実施するための形態】
【００１７】
以下に添付図面を参照して、この発明に係る中継器の実施の形態を詳細に説明する。最初に、この中継器を備えて構成された火災報知システムの全体構成を説明し、次に、この中継器の構成を説明し、火災報知システムを構成する各機器が実行する中継処理の流れについて説明し、この中継器の中継処理について説明し、最後に本実施の形態に対する変形例について説明する。ただし、この実施の形態によって本発明が限定されるものではない。なお、実施の形態に係る中継器の設置対象や適用対象は任意であるが、以下では、オフィスビルの屋内に設置された中継器であって、無線信号によって中継を行う無線式中継器と、有線信号によって中継を行う有線式中継器とのうち、有線式中継器に適用した場合を例として説明を行う。
【００１８】
〔実施の形態〕
（構成−火災報知システム）
図１は火災報知システムの構成を示す概略図である。図１に示すように、火災報知システム１は、感知器１０、発信機２０、無線式中継器３０、有線式中継器４０、及び受信機５０を備えて構成されている。感知器１０、発信機２０、無線式中継器３０、及び有線式中継器４０は、建物の各階における天井や壁に配置されている。このうち、感知器１０と発信機２０は、それぞれ法定の設置間隔を満たすように、各階毎に１台又は複数台が配置されている。無線式中継器３０は、各階において、中継対象となる感知器１０及び発信機２０と、有線式中継器４０との相互間に配置されている。有線式中継器４０は、各階に１台配置されている。受信機５０は、建物に１台配置されており、例えば建物の管理人室に設置されている。また、これら有線式中継器４０及び受信機５０は、信号線２及び電源線３により接続されている。
【００１９】
ここで、感知器１０又は発信機２０は、火災を報知する火災信号、火災からの復旧を報知する火災復旧信号、当該感知器１０の障害を報知する障害信号、又は当該感知器１０の障害からの復旧を報知する障害復旧信号を送信する無線端末である。無線式中継器３０は、感知器１０又は発信機２０から火災信号、火災復旧信号、障害信号、又は障害復旧信号を受信し、当該受信した火災信号、火災復旧信号、障害信号、又は障害復旧信号を有線式中継器４０に中継するものである。有線式中継器４０は、感知器１０、発信機２０及び／又は無線式中継器３０から送信された火災信号、火災復旧信号、障害信号、又は障害復旧信号を受信し、当該受信した火災信号又は障害信号を信号線２を介して受信機５０に出力する中継器である。受信機５０は、有線式中継器４０から信号線２を介して入力された情報に基づき、警報表示や警報音の出力等の各種処理を実行したり、電源線３を介して有線式中継器４０への電力供給を行うものである。
【００２０】
次に、信号線２を介した各端末機器の接続形態について説明する。本実施の形態において、火災報知システム１は、いわゆるＰ型１級又はＰ型２級の火災報知システムとして構成されている。図２は、信号線２の接続状況を示す概要図である。この図２に示すように、信号線２は、Ａ線２ａ、Ｃ線２ｂ、及びＬ線２ｃを含んで構成されており、これらＡ線２ａ、Ｃ線２ｂ、及びＬ線２ｃは、有線式中継器４０及び受信機５０を相互に接続する。また、Ａ線２ａは、建物の各階毎に設けられた有線式中継器４０に渡り接続されている（図示省略）。Ａ線２ａとＣ線２ｂ（以下「Ａ−Ｃ線」２ｄという）は、有線式中継器４０にて受信された発信機２０の火災信号を受信機５０に向けて送信する線である。また、Ｌ線２ｃとＣ線２ｂ（以下「Ｌ−Ｃ線」２ｅという）は、有線式中継器４０にて受信された感知器１０の火災信号又は障害信号を送信する線であり、発信機２０の火災信号又は障害信号を送信する線でもある。各系統（ここでは、建物の各階毎）のＬ−Ｃ線２ｅにおける終端には、図示しない終端抵抗が設けられている。
【００２１】
（構成−火災報知システム−感知器）
次に、感知器１０の構成について説明する。感知器１０は、センサ部、無線送信部、及び電源部を備えて構成されている（図示省略）。センサ部は、温度や煙濃度等を検知するための検知手段である。無線送信部は、火災信号、火災復旧信号、障害信号、又は障害復旧信号を送信する無線送信手段である。この無線送信部は、例えば、図示しない火災判断部によって、センサ部における温度や煙濃度の検知結果をもとに、この検知結果が閾値よりも高いと判断された場合に、無線送信部は火災信号を送信する。また、当該火災信号が送信された後、図示しない火災判断部によって、検知結果が閾値よりも低いと判断された場合に、無線送信部は火災復旧信号を送信する。また、この無線送信部は、例えば、図示しない障害判断部によって、公知の電圧測定手段（図示省略）を用いて測定した当該感知器１０の電源部の出力電圧の結果をもとに、この出力電圧の結果が閾値よりも低いと判断された場合に、無線送信部は障害信号を送信する。また、当該障害信号が送信された後、図示しない障害判断部によって、出力電圧の結果が閾値よりも高いと判断された場合に、無線送信部は障害復旧信号を送信する（後述する発信機２０の無線送信部２３についても同様）。また、この無線送信部は、例えば、感知器１０が備える公知の記憶手段（図示省略）に予め記憶された情報であって、当該感知器１０を一意に識別する識別情報を火災信号又は障害信号に含めて送信する（後述する発信機２０の無線送信部２３についても同様）。ここで、公知の記憶手段に記憶される識別情報としては、例えば感知器１０のアドレス番号又はシリアル番号を用いることができる（後述する発信機２０の識別情報についても同様）。電源部は、感知器１０の各部に電力を供給する電力供給手段であり、例えば公知の乾電池や充電池を備えて構成される（後述する発信機２０の電源部２５、及び無線式中継器３０の電源部３４についても同様）。
【００２２】
（構成−火災報知システム−発信機）
次に、発信機２０の構成について説明する。図３は発信機２０の電気的構成を示したブロック図である。図３に示すように、発信機２０は、押しボタン部２１、テストスイッチ部２２、無線送信部２３、表示部２４、電源部２５、制御部２６、及び記憶部２７を備えて構成されている。なお、電源部２５の構成については上述の感知器１０における電源部と同様であるので、特記する部分を除き説明を省略する。
【００２３】
押しボタン部２１は、ユーザによる火災信号の送信の有無を受け付ける操作手段である。また、テストスイッチ部２２は、ユーザによる当該発信機２０の機能試験を行うための試験信号の送信の有無を受け付ける試験操作手段である。
【００２４】
無線送信部２３は、火災信号、火災復旧信号、障害信号、障害復旧信号、又は試験信号を送信する無線送信手段であり、例えばユーザによって押しボタン部２１が押し下げられた場合に火災信号を送信し、ユーザによって押しボタン部２１が押し下げられる前の状態に復旧された場合に火災復旧信号を送信する。
【００２５】
表示部２４は、発信機２０に関する情報を表示するための表示手段であり、例えば公知のＬＥＤランプ、蛍光ランプ等を備えて構成される。
【００２６】
制御部２６は、発信機２０の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成される（後述する無線式中継器３０の制御部３５、及び有線式中継器４０の制御部４６についても同様）。
【００２７】
記憶部２７は、当該発信機２０を一意に識別する識別情報等を記憶する記憶手段である。この記憶部２７は、書き換え可能な記録媒体を用いて構成され、例えばフラッシュメモリ等の不揮発性記録媒体を用いることができる（後述する無線式中継器３０の記憶部３６、有線式中継器４０の記憶部４７についても同様）。
【００２８】
（構成−火災報知システム−無線式中継器）
次に、無線式中継器３０の構成について説明する。図４は無線式中継器３０の電気的構成を示したブロック図である。図４に示すように、無線式中継器３０は、操作部３１、表示部３２、無線通信部３３、電源部３４、制御部３５、及び記憶部３６を備えている。なお、電源部３４の構成については上述の感知器１０における電源部と同様であり、制御部３５の構成については上述の発信機２０における制御部２６と同様であるので、特記する部分を除き説明を省略する。
【００２９】
操作部３１は、無線式中継器３０に対する操作入力を受け付ける操作手段であり、例えばスイッチやタッチパネル等の公知の操作手段を用いて構成される（後述する有線式中継器４０の操作部４１についても同様）。
【００３０】
表示部３２は、無線式中継器４０に関する情報を表示するための表示手段であり、例えば公知の７セグメントディスプレイや液晶ディスプレイ等を備えて構成される（後述する有線式中継器４０の表示部４２についても同様）。
【００３１】
無線通信部３３は、火災信号、火災復旧信号、障害信号、又は障害復旧信号の受信及び送信を行う無線通信手段である。この無線通信部３３は、例えば無線信号の受信回路及び送信回路（いずれも図示せず）を備え、受信回路を介して感知器１０又は発信機２０から送信された火災信号、火災復旧信号、障害信号、又は障害復旧信号の受信を行い、送信回路を介して有線式中継器４０への火災信号、火災復旧信号、障害信号、又は障害復旧信号の送信を行う。なお、無線通信部３３の火災信号、火災復旧信号、障害信号、又は障害復旧信号の受信方法は任意であり、例えば、電源部３４の電力消費を抑えるために、無線通信部３３は火災信号、火災復旧信号、障害信号、又は障害復旧信号を間欠受信してもよい。
【００３２】
記憶部３６は、制御部３５による制御に必要なプログラム及び各種のデータを記憶する記憶手段である（後述する有線式中継器４０の記憶部４７についても同様）。
【００３３】
（構成−火災報知システム−有線式中継器）
次に、有線式中継器４０の構成について説明する。図５は、有線式中継器４０の電気的構成を概念的に示すブロック図である。図５に示すように、有線式中継器４０は、操作部４１、表示部４２、無線受信部４３、信号出力部４４、電源回路部４５、制御部４６、及び記憶部４７を備えている。なお、操作部４１及び表示部４２の構成については上述の無線式中継器３０における操作部３１及び表示部３２と同様であるので、特記する部分を除き説明を省略する。
【００３４】
無線受信部４３は、火災信号、火災復旧信号、障害信号、又は障害復旧信号の受信を行う無線受信手段である。この無線受信部４３は、火災信号、火災復旧信号、障害信号、又は障害復旧信号の受信回路（図示せず）を備え、受信回路を介して感知器１０、発信機２０及び／又は無線式中継器３０から送信された火災信号、火災復旧信号、障害信号、又は障害復旧信号の受信を行う。
【００３５】
信号出力部４４は、感知器１０、発信機２０及び／又は無線式中継器３０から受信した火災信号又は障害信号を受信機５０に出力する信号出力手段である。この信号出力部４４は、Ａ−Ｃ出力部４４ａ及びＬ−Ｃ出力部４４ｂを備えて構成されている。Ａ−Ｃ出力部４４ａは、Ａ−Ｃ線２ｄを介して、発信機２０及び／又は無線式中継器３０から受信した火災信号を受信機５０に出力するＡ−Ｃ出力手段である。Ｌ−Ｃ出力部４４ｂは、Ｌ−Ｃ線２ｅを介して、感知器１０及び／又は無線式中継器３０から受信した火災信号又は障害信号を受信機５０に出力したり、発信機２０及び／又は無線式中継器３０から受信した火災信号又は障害信号を受信機５０に出力するＬ−Ｃ出力手段である。
【００３６】
図６は、信号出力部４４の各端子の接続状況を示す概略図である。図６に示すように、信号出力部４４は、Ａ線出力端子２ａ１、Ａ線入力端子２ａ２、Ｃ線出力端子２ｂ１、Ｃ線入力端子２ｂ２、Ｌ線出力端子２ｃ１、及びＬ線入力端子２ｃ２を備えて構成されている。これらＡ線出力端子２ａ１、Ｃ線出力端子２ｂ１、及びＬ線出力端子２ｃ１は、火災信号又は障害信号を受信機５０に出力するためのものであり、受信機５０側とは逆側（有線式中継器４０を挟んで受信機５０側と反対に位置する側）のＡ線２ａ、Ｃ線２ｂ、及びＬ線２ｃと各々接続されている。また、これらＡ線入力端子２ａ２、Ｃ線入力端子２ｂ２、及びＬ線入力端子２ｃ２は、火災信号又は障害信号を受信機５０に入力するためのものであり、受信機５０側のＡ線２ａ、Ｃ線２ｂ、及びＬ線２ｃと各々接続されている。
【００３７】
Ｌ線出力端子２ｃ１とＬ線入力端子２ｃ２とを接続するＬ線２ｃには、当該Ｌ線２ｃの接続切替のためのリレー２ｆが設けられている。また、Ｌ線出力端子２ｃ１とＬ線入力端子２ｃ２とを接続するＬ線２ｃとＣ線出力端子２ｂ１とＣ線入力端子２ｂ２とを接続するＣ線２ｂとの間には、これらＬ線２ｃ及びＣ線２ｂの接続切替のためのリレー２ｇが設けられている。このリレー２ｇは、リレー２ｆよりも受信機５０側に配置されている。また、Ａ線出力端子２ａ１とＡ線入力端子２ａ２とを接続するＡ線２ａとＬ線出力端子２ｃ１とＬ線入力端子２ｃ２とを接続するＬ線２ｃとの間には、これらＡ線２ａ及びＣ線２ｂの接続切替のためのリレー２ｈが設けられている。
【００３８】
ここで、この信号出力部４４が火災信号又は障害信号を受信機５０に対して出力する方法としては、例えば、信号出力部４４が、有線式中継器４０と接続された信号線２を導通可能にさせたり、短絡させたり、あるいは断線させることにより、感知器１０又は発信機２０の火災信号又は障害信号を受信機５０に送信する。具体的には、信号出力部４４が通常動作を行う場合には、Ｌ−Ｃ出力部４４ｂは、Ｌ−Ｃ線２ｅが導通可能になるように、Ｌ線２ｃをリレー２ｆにより接続させる。また、信号出力部４４が感知器１０の火災信号を受信機５０に対して出力する場合には、Ｌ−Ｃ出力部４４ｂは、Ｌ−Ｃ線２ｅが短絡するように、当該Ｌ−Ｃ線２ｅをリレー２ｇにより接続させる。また、信号出力部４４が発信機２０の火災信号を受信機５０に対して出力する場合には、Ａ−Ｃ出力部４４ａは、Ａ−Ｃ線２ｄが短絡するように、当該Ａ−Ｃ線２ｄをリレー２ｈにより接続させると共に、Ｌ−Ｃ出力部４４ｂは、Ｌ−Ｃ線２ｅが短絡するように、当該Ｌ−Ｃ線２ｅを公知のリレー２ｇにより接続させる。また、信号出力部４４が感知器１０又は発信機２０の障害信号を受信機５０に対して出力する場合には、Ｌ−Ｃ出力部４４ｂは、Ｌ−Ｃ線２ｅが断線するように、Ｌ線２ｃをリレー２ｆにより切り離す。なお、実際には、火災信号を出力する前に障害信号を出力しているために、障害信号の出力を解除してから火災信号を出力する必要がある等、より複雑な制御が行われる場合があるが、この点については後述する。また、以下、「断線」とは、Ａ線２ａ、Ｃ線２ｂ、又はＬ線２ｃのいずれかを、有線式中継器４０の信号出力部４４の内部において、受信機５０に近い側と遠い側に切り離すことを意味する。このことにより、終端器を受信機５０から電気的に切り離し、障害信号を受信機５０に送信する。また、断線を「復旧」させるとは、受信機５０に近い側と遠い側に切り離したＡ線２ａ、Ｃ線２ｂ、又はＬ線２ｃを、切り離す前の接続状態に戻すことを意味する。このことにより、終端器を受信機５０に電気的に接続し、障害信号を受信機５０に送信する。
【００３９】
電源回路部４５は、電源線３を介して受信機５０から供給された電力を有線式中継器４０の各部に供給する（なお、電源回路部４５から有線式中継器４０の各部に対する電力供給線の図示は省略する）。
【００４０】
制御部４６は、有線式中継器４０の各部を制御する制御手段である。この制御部４６は、機能概念的に識別情報取得部４６ａを備えている。識別情報取得部４６ａは、有線式中継器４０が感知器１０又は発信機２０から火災信号又は障害信号を受信した場合に、当該火災信号又は障害信号から識別情報を取得する識別情報取得手段である。なお、この制御部４６によって実行される処理の詳細については後述する。
【００４１】
記憶部４７は、制御部４６が信号出力部４４によって、火災信号又は障害信号を受信機５０に送信する際に参照するための移報方法テーブル４７ａを備えている。図７は移報方法テーブル４７ａに格納される情報の内容を例示した表である。図７に示すように、移報方法テーブル４７ａには、テーブル項目「無線端末ＩＤ」、「種別」、及び「移報方法」に対応する情報が相互に関連付けて格納される。項目「無線端末ＩＤ」に対応して格納される情報は、感知器１０又は発信機２０を一意に識別する識別情報であり、例えば感知器１０又は発信機２０のアドレス番号（図７では「０１０１」、「０１０２」、「０１０３」等）が格納される。項目「種別」に対応して格納される情報は、機器の種別を特定する種別情報であり、例えば「感知器」、「発信機」等が格納される。項目「移報方法」に対応して格納される情報は、感知器１０又は発信機２０の火災信号の移報方法を特定するための移報方法情報であり、例えば「Ｌ−Ｃ線短絡」、「Ｌ−Ｃ線、及びＡ−Ｃ線短絡」等が格納される。
【００４２】
（構成−火災報知システム−受信機）
次に、受信機５０の構成について説明する。この受信機５０としては、例えば公知の防災受信機を用いることができる。
【００４３】
（火災報知システムを構成する各機器が実行する中継処理について）
次に、火災報知システム１を構成する各機器が実行する中継処理について説明する。図１に示すように、建物の３階に感知器１０、発信機２０、無線式中継器３０、及び有線式中継器４０が設置されている場合を例に挙げて説明する。図８は、感知器１０、発信機２０、無線式中継器３０、及び有線式中継器４０が実行する中継処理の流れを示したフローチャートである（なお、無線式中継器３０の動作の図示は省略する）。なお、以下の説明では、「ステップ」を「Ｓ」と略記する。また、有線式中継器４０のステップを「ＳＡ」、感知器１０のステップを「ＳＢ」、及び発信機２０のステップを「ＳＣ」と略記する。また、有線式中継器４０の動作中に発生したイベントは、制御部４６によって記憶部４７に記録されるものとする。
【００４４】
図８に示すように、発信機２０に障害が生じたことによって、当該発信機２０の無線送信部２３が障害信号を送信した場合（ＳＣ１）、有線式中継器４０の無線受信部４３は、発信機２０及び／又は無線式中継器３０から障害信号を受信し（ＳＡ１）、信号出力部４４は、当該受信された障害信号の移報を受信機５０に対して行う（ＳＡ２）。なお、発信機２０の無線送信部２３は、当該発信機２０の障害が復旧するまで障害信号を継続してまたは断続的に送信する（以下、後述するＳＡ５の火災信号についても同様とする）。
【００４５】
次に、感知器１０のセンサ部にて火災が検知されたことによって、当該感知器１０の無線送信部が火災信号を送信した場合（ＳＢ１）、有線式中継器４０の無線受信部４３は、感知器１０及び／又は無線式中継器３０から火災信号を受信する（ＳＡ３）。次いで、有線式中継器４０の信号出力部４４が、ＳＡ２の障害信号の移報を行っている状態から当該障害信号の移報を行う前の状態に復旧させた場合、すなわち障害信号の移報を停止した場合（ＳＡ４）、当該有線式中継器４０の信号出力部４４は、ＳＡ３にて受信した火災信号の移報を受信機５０に対して行う（ＳＡ５）。
【００４６】
続いて、感知器１０のセンサ部にて火災が検知されなくなったことによって、当該感知器１０の無線送信部が火災復旧信号を送信した場合（ＳＢ２）、有線式中継器４０の無線受信部４３は、感知器１０及び／又は無線式中継器３０から火災復旧信号を受信する（ＳＡ６）。これにより、有線式中継器４０の信号出力部４４が、ＳＡ５の火災信号の移報を行っている状態から当該火災信号の移報を行う前の状態に復旧させる、すなわち火災信号の移報を停止する（ＳＡ７）。ここで、ＳＡ１の処理以降、有線式中継器４０の無線受信部４３は、発信機２０から障害信号を継続して受信している。そのため、ＳＡ７の処理後、当該有線式中継器４０の信号出力部４４は、障害信号の移報を受信機５０に対して行う（ＳＡ８）。
【００４７】
次いで、発信機２０の障害が復旧したことによって、当該発信機２０の無線送信部２３が障害復旧信号を送信した場合（ＳＣ２）、有線式中継器４０の無線受信部４３は、発信機２０及び／又は無線式中継器３０から障害復旧信号を受信し（ＳＡ９）、信号出力部４４は、ＳＡ８の障害信号の移報を停止する（ＳＡ１０）。
【００４８】
（中継処理）
次に、有線式中継器４０によって実行される中継処理を、図８に示すＳＡ１〜ＳＡ１０の中継処理の流れと関連づけて説明する。図９は中継処理のフローチャートである。この中継処理の実行タイミングは任意で、例えば有線式中継器４０の操作部４１を介して中継処理を実行する旨の操作入力がされた場合に実行される。また、有線式中継器４０と受信機５０とを接続する信号線２は導通可能な状態であるものとする。なお、この信号線２が導通可能な状態は、特許請求の範囲における通常状態に対応するものである。
【００４９】
図９に示すように、最初に、制御部４６は無線受信部４３が感知器１０又は発信機２０から障害信号を受信したか否かを判定する（ＳＤ１）。その結果、無線受信部４３が発信機２０から障害信号を受信したと判定された場合（ＳＡ１）（ＳＤ１、Ｙｅｓ）、制御部４６は信号出力部４４によって信号線２を断線させる（ＳＡ２）（ＳＤ２）。具体的には、制御部４６はＬ−Ｃ出力部４４ｂによってＬ−Ｃ線２ｅを断線させる。なお、この信号線２が断線した状態は、特許請求の範囲における第２移報状態に対応するものである。なお、制御部４６は表示部４２によってＬ−Ｃ線２ｅが断線状態である旨を表示させてもよい。これにより、ユーザに対して信号線２が断線状態であることを報知することができる（後述するＳＤ５の短絡状態についても同様）。
【００５０】
次に、制御部４６は無線受信部４３が感知器１０又は発信機２０から火災信号を受信したか否かを判定する（ＳＤ３）。その結果、無線受信部４３が感知器１０から火災信号を受信したと判定された場合（ＳＡ３）（ＳＤ３、Ｙｅｓ）、制御部４６は信号出力部４４によって信号線２を断線させた状態から信号線２を断線させる前の状態に復旧させる（ＳＡ４）（ＳＤ４）。その後、無線受信部４３にて受信された火災信号から、識別情報取得部４６ａが感知器１０の識別情報を取得した後に、制御部４６は移報方法テーブル４７ａを参照し、当該識別情報取得部４６ａにて取得された識別情報に応じて、信号出力部４４によって信号線２を短絡させる（ＳＡ５）（ＳＤ５）。具体的には、制御部４６はＬ−Ｃ出力部４４ｂによってＬ−Ｃ線２ｅを断線させた状態から導通可能な状態へ復旧させた後、Ｌ−Ｃ出力部４４ｂによってＬ−Ｃ線２ｅを短絡させる。これにより、感知器１０又は発信機２０の障害に左右されることなく、無線受信部４３にて受信した火災信号の受信機５０に対する移報を行うことができ、火災信号の受信機５０に対する移報の確実性を高めることができる。また、移報方法テーブル４７ａから取得した移報方法情報に基づいて、火災信号の受信機５０に対する移報を行うので、感知器１０又は発信機２０に応じた火災信号の移報を行うことができる。なお、この信号線２が短絡した状態は、特許請求の範囲における第１移報状態に対応するものである。
【００５１】
続いて、制御部４６は感知器１０又は発信機２０から無線受信部４３が障害復旧信号を受信したか否かを判定する（ＳＤ６）。その結果、無線受信部４３が感知器１０又は発信機２０から障害復旧信号を受信したと判定された場合（ＳＤ６、Ｙｅｓ）、制御部４６はＳＤ１の直前に戻る。
【００５２】
一方、無線受信部４３が感知器１０又は発信機２０から障害復旧信号を受信したと判定されなかった場合（ＳＤ６、Ｎｏ）、制御部４６は無線受信部４３が感知器１０又は発信機２０から火災復旧信号を受信したか否かを判定する（ＳＤ７）。
【００５３】
その結果、無線受信部４３が感知器１０から火災復旧信号を受信したと判定されなかった場合（ＳＤ７、Ｎｏ）、制御部４６はＳＤ６の直前に戻る。
【００５４】
一方、無線受信部４３が感知器１０から火災復旧信号を受信したと判定された場合（ＳＡ６）（ＳＤ７、Ｙｅｓ）、制御部４６は信号出力部４４によって信号線２を短絡させた状態から信号線２を短絡させる前の状態に復旧させる（ＳＡ７）（ＳＤ８）。ここで、ＳＤ２の処理以降、無線受信部４３が発信機２０から障害信号を継続して受信していることから、制御部４６は信号出力部４４によって信号線２を断線させる（ＳＡ８）（ＳＤ９）。具体的には、制御部４６はＬ−Ｃ出力部４４ｂによってＬ−Ｃ線２ｅを短絡状態から導通可能な状態へ復旧させた後、Ｌ−Ｃ出力部４４ｂによってＬ−Ｃ線２ｅを断線させる。これにより、火災信号の受信機５０に対する移報が停止した場合でも、この障害信号の受信機５０に対する移報を行うことができるので、障害信号の受信機５０に対する移報の確実性を高めることができる。
【００５５】
続いて、無線受信部４３が感知器１０又は発信機２０から火災信号を受信したと判定されなかった場合（ＳＤ３、Ｎｏ）、あるいは、ＳＤ９にて信号線２が断線した状態になった場合、制御部４６は無線受信部４３が感知器１０又は発信機２０から障害復旧信号を受信したか否かを判定する（ＳＤ１０）。その結果、無線受信部４３が感知器１０又は発信機２０から障害復旧信号を受信したと判定されなかった場合（ＳＤ１０、Ｎｏ）、制御部４６はＳＤ３の直前に戻る。
【００５６】
一方、無線受信部４３が発信機２０から障害復旧信号を受信したと判定された場合（ＳＡ９）（ＳＤ１０、Ｙｅｓ）、制御部４６は信号出力部４４によって信号線２を断線させた状態から断線させる前の状態に復旧させて（ＳＡ１０）（ＳＤ１１）、ＳＤ１の直前に戻る。具体的には、制御部４６はＬ−Ｃ出力部４４ｂによってＬ−Ｃ線２ｅを断線状態から導通可能な状態へ復旧させる。
【００５７】
一方で、無線受信部４３が感知器１０又は発信機２０から障害信号を受信したと判定されなかった場合（ＳＤ１、Ｎｏ）、制御部４６は無線受信部４３が感知器１０又は発信機２０から火災信号を受信したか否かを判定する（ＳＤ１２）。その結果、無線受信部４３が感知器１０又は発信機２０から火災信号を受信したと判定されなかった場合（ＳＤ１２、Ｎｏ）、制御部４６はＳＤ１の直前に戻る。
【００５８】
一方、無線受信部４３が感知器１０又は発信機２０から火災信号を受信したと判定された場合（ＳＤ１２、Ｙｅｓ）、制御部４６は信号出力部４４によって信号線２を短絡させる（ＳＤ１３）。
【００５９】
次いで、制御部４６は無線受信部４３が感知器１０又は発信機２０から火災復旧信号を受信したか否かを監視する（ＳＤ１４）。ここで、無線受信部４３が感知器１０又は発信機２０から火災復旧信号を受信すると（ＳＤ１４、Ｙｅｓ）、制御部４６は信号出力部４４によって信号線２を短絡させた状態から短絡させる前の状態に復旧させて（ＳＤ１５）、ＳＤ１の直前に戻る。
【００６０】
（効果）
このように実施の形態によれば、制御部４６は、有線式中継器４０が障害信号の受信機５０に対する移報を行っている場合において、火災信号を感知器１０又は発信機２０から受信した場合には、信号出力部４４を第２移報状態から通常状態に復旧させた後、当該受信した火災信号の受信機５０に対する移報を行うので、感知器１０又は発信機２０の障害に左右されることなく、無線受信部４３にて受信した火災信号の受信機５０に対する移報を行うことができ、火災信号の受信機５０に対する移報の確実性を高めることができる。
【００６１】
また、制御部４６は、当該有線式中継器４０が火災信号の移報を受信機５０に対して行っている場合において、火災復旧信号を感知器１０又は発信機２０から受信し、かつ障害信号を感知器１０又は発信機２０から受信している場合には、信号出力部４４を第１移報状態から通常状態に復旧させた後、当該受信した障害信号の受信機５０に対する移報を行うので、火災信号の移報が行われており、かつ障害信号を受信している場合であって、火災信号の移報が停止した場合でも、この障害信号の受信機５０に対する移報を行うことができ、障害信号の受信機５０に対する移報の確実性を高めることができる。
【００６２】
また、有線式中継器４０は、有線式中継器４０と受信機５０とを相互に接続する信号線２の接続を、通常状態、第１移報状態、及び第２移報状態に切り替えることにより、感知器１０又は発信機２０から受信した信号を受信機５０に出力するための信号出力部４４と、信号出力部４４を制御する制御部４６とを備え、通常状態は、信号線２が導通可能な状態であり、第１移報状態は、信号線２が短絡した状態であり、第２移報状態は、信号線２が断線した状態であるので、感知器１０又は発信機２０に障害が生じている場合であって、感知器１０又は発信機２０が発報した場合でも、信号出力部４４によって、信号線２を断線させた状態から当該信号線２を断線させる前の状態に復旧させた後に、信号線２を短絡させることにより、当該受信した火災信号を受信機５０に出力することができ、当該受信した火災信号の受信機５０に対する移報の確実性を高めることができる。さらに、感知器１０又は発信機２０の発報が停止した場合において、感知器１０又は発信機２０に障害が生じている場合でも、信号出力部４４によって、信号線２を短絡させた状態から当該信号線２を短絡させる前の状態に復旧させた後に、信号線２を断線させることにより、当該受信している障害信号を受信機５０に出力することができ、当該受信した障害信号の受信機５０に対する移報の確実性を高めることができる。
【００６３】
また、有線式中継器４０は、識別情報取得部４６ａにて取得した識別情報に基づいて、移報方法テーブル４７ａから移報方法情報を取得し、当該取得した移報方法情報に基づいて、火災信号の受信機５０に対する移報を行うので、感知器１０又は発信機２０に応じた火災信号の移報を行うことができ、火災の位置を容易に特定することができる。
【００６４】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６６】
（分散や統合について）
上述した火災報知システム１の各電気的構成要素は機能概念的なものであり、必ずしも物理的に図示の如く構成されていることを要しない。すなわち、各部の分散又は統合の具体的形態は図示のものに限られず、その全部又は一部を、各種の負荷や使用状況などに応じて、任意の単位で機能的又は物理的に分散又は統合して構成できる。
【００６７】
（感知器について）
上述した実施の形態では、感知器１０の無線送信部は、火災信号、火災復旧信号、障害信号、又は障害復旧信号を送信すると説明したが、これに限られない。例えば、この無線送信部は、当該感知器の動作状況を監視するために、当該感知器１０の識別情報を定期的に送信してもよい（なお、発信機２０の無線送信部２３についても同様）。この場合には、有線式中継器４０の無線受信部４３が識別情報を定期的に受信しなくなったと判定された場合に、制御部４６は信号出力部４４によって信号線を断線させてもよい。
【００６８】
また、感知器１０の無線送信部が障害信号を送信する場合として、図示しない障害判断部によって、公知の電圧測定手段（図示省略）を用いて測定した当該感知器１０の電源部の出力電圧の結果をもとに、この出力電圧の結果が閾値よりも低いと判断された場合と説明したが、これに限られない。例えば、感知器１０の無線送信部が障害信号を送信する場合とは、感知器１０の検知部の故障等の当該感知器１０の機器障害が発生した場合や、図示しない障害判断部によって、センサ部から出力される信号をもとにセンサ部の異常が判断された場合であってもよい（なお、発信機２０の無線送信部２３についても同様）。また、復旧の判断についても同様であり、感知器１０の無線送信部が復旧信号を送信する場合とは、図示しない障害判断部によって、センサ部から出力される信号をもとにセンサ部の復旧が判断された場合であってもよい（なお、発信機２０の無線送信部２３についても同様）。
【００６９】
（有線式中継器について）
上述した実施の形態では、信号出力部４４は、Ａ−Ｃ出力部４４ａ及びＬ−Ｃ出力部４４ｂを備えて構成されていると説明したが、例えば図１の建物の１階のような無線端末が感知器１０だけの火災報知システム１の場合には、有線式中継器４０と受信機５０とを接続する信号線２のうちＡ線２ａが不要となる。よって、この場合には、信号出力部４４はＬ−Ｃ出力部４４ｂのみを備えて構成されてもよい。
【００７０】
（火災報知システムを構成する各機器が実行する中継処理について）
上述した実施の形態では、発信機２０に障害が生じたことによって、当該発信機２０の無線送信部２３が障害信号を送信した後に、感知器１０のセンサ部にて火災が検知されたことによって、当該感知器１０の無線送信部が火災信号を送信した場合についての中継処理について説明したが、これに限られない。例えば、感知器１０に障害が生じたことによって、当該感知器１０の無線送信部が障害信号を送信した後に、発信機２０の押しボタン部２１が押し下げられたことによって、当該発信機２０の無線送信部２３が火災信号を送信した場合についての中継処理であっても、実施の形態と同様に扱われる。
【符号の説明】
【００７１】
１  火災報知システム
２、１０２  信号線
２ａ、１０２ａ  Ａ線
２ａ１  Ａ線出力端子
２ａ２  Ａ線入力端子
２ｂ、１０２ｂ  Ｃ線
２ｂ１  Ｃ線出力端子
２ｂ２  Ｃ線入力端子
２ｃ、１０２ｃ  Ｌ線
２ｃ１  Ｌ線出力端子
２ｃ２  Ｌ線入力端子
２ｄ  Ａ−Ｃ線
２ｅ  Ｌ−Ｃ線
２ｆ  リレー
２ｇ  リレー
２ｈ  リレー
３  電源線
１０  感知器
２０、１３０  発信機
２１  押しボタン部
２２  テストスイッチ部
２３  無線送信部
２４、３２、４２  表示部
２５、３４  電源部
２６、３５、４６  制御部
２７、３６、４７  記憶部
３０  無線式中継器
３１、４１  操作部
３３  無線通信部
４０  有線式中継器
４３  無線受信部
４４  信号出力部
４４ａ  Ａ−Ｃ出力部
４４ｂ  Ｌ−Ｃ出力部
４５  電源回路部
４６ａ  識別情報取得部
４７ａ  移報方法テーブル
５０、１５０  受信機
１０１  防災システム
１１０  有線式感知器
１２０  無線式感知器
１４０  中継器
【図１】
0005620751.tif 000002
【図２】
0005620751.tif 000003
【図３】
0005620751.tif 000004
【図４】
0005620751.tif 000005
【図５】
0005620751.tif 000006
【図６】
0005620751.tif 000007
【図７】
0005620751.tif 000008
【図８】
0005620751.tif 000009
【図９】
0005620751.tif 000010
【図１０】
0005620751.tif 000011